(57)【要約】【課題】複数の圧縮機を設けた場合であっても、省スペースの架台内に収容可能とするコンデンシングユニットを提供する。【解決手段】コンデンシングユニット１は、冷凍商品用の陳列室に対応する大型の第一圧縮機２と、冷蔵商品用の陳列室に対応する小型の第二圧縮機３と、両圧縮機２，３に共通の凝縮器４とを有する。第一圧縮機２及び第二圧縮機３には、冷媒流路としての配管５が接続されている。凝縮器４には、配管５に接続されたフィンチューブ６が略千鳥状となるように配設され、各圧縮機２，３のそれぞれに接続された冷媒流路を構成している。また、凝縮器４は、複数のファン７を有し、各ファン７の間には、仕切板８が立設されている。【選択図】      図１
2004340431.tif 000002
【特許請求の範囲】
【請求項１】
冷凍・冷蔵ショーケースのコンデンシングユニットであって、
複数の圧縮機と、前記各圧縮機にそれぞれ接続された複数の冷媒流路を有する一の凝縮器と
を備えることを特徴とするコンデンシングユニット。
【請求項２】
下部架台内部にコンデンシングユニットを備えた冷凍機内蔵型ショーケースにおいて、
前記コンデンシングユニットは、複数の圧縮機と、前記各圧縮機にそれぞれ接続された複数の冷媒流路を有する一の凝縮器と
を備えることを特徴とする冷凍機内蔵型ショーケース。
【請求項３】
前記凝縮器は、前記各圧縮機の運転状況に応じて、個別に運転制御を行う複数の空冷用のファンを備えることを特徴とする請求項２に記載の冷凍機内蔵型ショーケース。
【請求項４】
前記凝縮器は、前記各ファン間を仕切る仕切板を備えることを特徴とする請求項３に記載の冷凍機内蔵型ショーケース。
【請求項５】
前記凝縮器は、凝縮器カバーを構成する上面部材を独立に取り外し可能としたことを特徴とする請求項２〜４のいずれかに記載の冷凍機内蔵型ショーケース。
【発明の詳細な説明】
【０００１】
【発明の属する技術分野】
本発明は、複数の圧縮機を備えた冷凍・冷蔵ショーケースのコンデンシングユニット及び当該コンデンシングユニットを備えた冷凍機内蔵型ショーケースに関する。
【０００２】
【従来の技術】
従来より、コンビニエンスストア等の店舗に設置される冷凍機内蔵型ショーケースとして、一般に、ショーケース下部の架台内に、圧縮機と当該圧縮機に対応した凝縮器とを有するコンデンシングユニットを備えた構成が公知となっている（例えば、特許文献１）。
【０００３】
【特許文献１】
特開平１０−３２７９９２号公報
【０００４】
【発明が解決しようとする課題】
しかし、特許文献１に記載した冷凍機内蔵型ショーケースは、一の圧縮機と、当該圧縮機に対応する一つ凝縮器とを有する構成のため、二温式のショーケース等で複数の圧縮機を備える場合には、コンデンシングユニット自体を複数備えるか、一のコンデンシングユニット内に、各圧縮機に対応した複数の凝縮器を備えることが必要となっていた。従って、コンデンシングユニットを収容するための下部架台のスペースを大きくとる必要があることから、商品陳列室のスペースが狭くなるという問題があった。
【０００５】
本発明は、前記課題を解決するためのものであり、複数の圧縮機を設けた場合であっても、省スペースの架台内に収容可能とするコンデンシングユニット及び当該コンデンシングユニットを備えた冷凍機内蔵型ショーケースを提供することを目的とする。
【０００６】
【課題を解決するための手段】
上記の課題を解決するため本発明は、冷凍・冷蔵ショーケースのコンデンシングユニットであって、複数の圧縮機と、前記各圧縮機にそれぞれ接続された複数の冷媒流路を有する一の凝縮器とを備えることを特徴とする。また、下部架台内部にコンデンシングユニットを備えた冷凍機内蔵型ショーケースにおいて、前記コンデンシングユニットは、複数の圧縮機と、前記各圧縮機にそれぞれ接続された複数の冷媒流路を有する一の凝縮器とを備えることを特徴とする。これにより、コンデンシングユニット内に複数の圧縮機を備えた場合であっても、複数の凝縮器を備えることが不要となり、コンデンシングユニット全体を小型化することが可能となる。
この場合、前記凝縮器に、前記各圧縮機の運転状況に応じて、個別に運転制御を行う複数の空冷用のファンを備え、また、各ファン間を仕切る仕切り板を設けることにより、冷凍機の負荷等に応じた適切なファン制御を行うことができるとともに、複数の空冷用ファンから発生する渦の干渉を防止することができる。
【０００７】
さらに、前記凝縮器は、凝縮器カバーを構成する上面部材を独立に取り外し可能とすることにより、メンテナンス時におけるフィルタ，フィンチューブの清掃作業を容易に行うことができる。
【０００８】
【発明の実施の形態】
以下、本発明の一実施の形態について、図面に基づき説明する。
図１は、本実施の形態に係る冷凍・冷蔵ショーケースのコンデンシングユニットの概略構成を示す図であり、図２は、コンデンシングユニットを構成する凝縮器のカバーを示す斜視図である。図１中の黒矢印は冷媒の流れる方向を示している。また、図１では、コンデンシングユニット内の他の装置及び凝縮器内におけるフィンチューブの配置等は図示を省略している。また、図２では、各側板に設けられるフィンチューブ挿通用の孔等は図示を省略している。
コンデンシングユニット１は、例えば、冷凍・冷蔵等、温度帯域の異なる２つの商品陳列室を備えた冷凍機内蔵型ショーケースの下部架台内に備えられるものであり、ユニットベース上に、冷凍商品用の陳列室に対応する大型の第一圧縮機２と、冷蔵商品用の陳列室に対応する小型の第二圧縮機３と、両圧縮機２，３に共通の凝縮器４とが配置されている。第一圧縮機２及び第二圧縮機３には、冷媒流路としての配管５が接続されている。凝縮器４のフィンチューブ配設部４Ａには、配管５を介して、各圧縮機２，３に対しそれぞれ接続された複数の伝熱管としてのフィンチューブ６が配設されている。各フィンチューブ６は、各圧縮機２，３毎の冷媒流路を構成するものであり、フィンチューブ配設部４Ａにおいて、凝縮器４の側板間を蛇行して、側断面視が千鳥状となるように配設されている。また、凝縮器４のファン配設部４Ｂには、複数の空冷用のファン７が配置されている。本実施の形態では、３つのファンが備えられており、例えば、中央のファン７の回転数を、他のファン７と異なるものとすることにより、共鳴を防止している。ファン配設部４Ｂ内では、各ファン７間において、図２に示すファン側部材９ｂからフィンチューブ配設部４Ａ近傍まで延長する仕切板８が立設されている。
また、凝縮器４は、図２に示す凝縮器カバー９を備えており、本実施の形態では、凝縮器カバー９を構成する上面部材９ａが、ファン側部材９ｂ及び左，右側板９ｃ，９ｄに対して独立に形成され、ビス等の固定具により取り外し可能に固定されている。
【０００９】
配管５は、冷凍サイクルを構成する各圧縮機２，３、凝縮器４、図外の蒸発器，膨張弁等の間で冷媒を送る配管５ａ〜５ｈで構成される。
第一圧縮機２，第二圧縮機３には、図外の蒸発器からガス冷媒を送る配管５ａ，５ｆと、凝縮器４に対して冷媒を送る配管５ｂ，５ｇが接続されている。また、第一圧縮機２には、第一圧縮機２に備えられた図外のオイルクーラと凝縮器４との間で冷媒を送る配管５ｃ，５ｄが接続されている。さらに、凝縮器４には、膨張弁に対して凝縮冷媒を送る配管５ｅ，５ｈが接続されている。
【００１０】
図３，図４は、本実施の形態に係るコンデンシングユニット１を構成する凝縮器４の左，右側面図として、各側板９ｃ，９ｄに突設するフィンチューブ６の折り返し部を示すとともに、矢印で冷媒流路を示している。各図において、点線矢印は反対側側面に突設する折り返し部における冷媒の流れ方向を示している。なお、図３は第一圧縮機２用の冷媒流路を矢印で示し、図４は第二圧縮機３用の冷媒流路を矢印で示している。
本実施の形態では、凝縮器４に、第一圧縮機２用の冷媒流路を構成するフィンチューブ６Ａ，６Ｂと、第二圧縮機３用の冷媒流路を構成するフィンチューブ６Ｃとが配設されている。
フィンチューブ６Ａ，６Ｂは、上流側端部及び下流側端部が圧縮機側の左側板９ｃ側に配置されている。フィンチューブ６Ａは、凝縮器４の上部側から上下方向の中間部付近に向かって折り返し部６ａが配設されており、上流側が配管５ｂに接続され、下流側が配管５ｃに接続される。フィンチューブ６Ｂは、上流側端部で二本に分岐して下流側端部で一本となるように形成され、凝縮器４の上下方向の中間部付近から下部側に向かって折り返し部６ｂが配設されており、上流側が配管５ｄに接続され、下流側が配管５ｅに接続される。
フィンチューブ６Ｃは、上流側端部及び下流側端部が、右側板９ｄ側に配置されている。フィンチューブ６Ｃは、フィンチューブ６Ａとフィンチューブ６Ｂとの間に位置するように、凝縮器４の上下方向の略中間部付近から斜め下方向に向かって折り返し部６ｃが配設されており、上流側が配管５ｇに接続され、下流側が配管５ｈに接続される。本実施の形態では、第二圧縮機３用の冷媒流路を構成する短尺のフィンチューブ６Ｃを、第一圧縮機２用の冷媒流路を構成するフィンチューブ６Ａ，６Ｂ間に配設するとともに、凝縮効果を高めるために、全ての折り返し部６ｃが凝縮器４の外気吸込口４ａ側に向かって傾斜するように配設されている。
【００１１】
以上のように構成されたコンデンシングユニット１を含む冷却システムについて説明する。
まず、図外の蒸発器に入って沸騰蒸発することにより各陳列室を冷却した低圧ガス冷媒は、吸入配管，液分離器，逆止弁，ストレーナ等を経た後、配管５ａ又は配管５ｆを介して低温低圧のガス冷媒の状態で各陳列室に対応する第一圧縮機２又は第二圧縮機３に吸い込まれる。各圧縮機２，３に吸い込まれた低温低圧のガス冷媒は、シリンダ内でピストンによって圧縮され、次第に圧力を高め、常温の冷却水や空気で冷やしても容易に液化できる高温高圧のガス冷媒となり、配管５ｂ，５ｇを介して凝縮器４に送られる。凝縮器４では、ファン７により吸込まれる外気によりフィンチューブ６を通過する冷媒が凝縮され、凝縮熱を放出して液化される。フィンチューブ６Ａを通過した冷媒は、配管５ｃを介して、第一圧縮機２のオイルクーラに送られ、配管５ｄを介して、再度凝縮器４に送られ、凝縮される。
フィンチューブ６Ｂ，６Ｃを通過した冷媒は、配管５ｄ又は配管５ｈを介して受液器に貯められる。この受液器に貯められた常温高圧の液冷媒（凝縮冷媒）は、配管を通りドライヤーや電磁弁を介して膨張弁に送られ、この膨張弁の細孔を通る間に低圧となって蒸発しやすい状態となる。この膨張弁を出て蒸発しやすい状態となった低温低圧の液冷媒は蒸発器に放出される。このように、冷媒は、圧縮、凝縮、膨張、蒸発の四行程を繰り返しながら、コンデンシングユニット１内を配管５で循環するとともに、他の機器を通過し、温度の低い蒸発器から、温度の高い凝縮器４に熱を移動させる役目をする。そして、膨張弁を出て圧力の低い蒸発器に放出された低温低圧の液冷媒はここで庫内の熱を奪い、沸騰蒸発してガスとなって庫内を冷却し、また、冷媒が蒸発器で庫内から奪った熱や各圧縮器２，３で圧縮するために加えられた熱は、凝縮器４から放出されるというサイクルをとる。
【００１２】
各ファン７については、各圧縮機２，３の運転状況に応じてＯＮ／ＯＦＦ制御を行うように設定される。例えば、両圧縮機２，３を運転する場合には、三台のファン７の全てをＯＮ制御し、大型の第一圧縮機２のみを運転する場合には、二台のファン７をＯＮ制御し、小型の第二圧縮機３のみを運転する場合には、一台のファン７をＯＮ制御する等の運転制御を行うよう、制御手段により設定される。
各ファン７間に設けられた仕切板８は、複数のファン７を運転させた場合に発生する渦の干渉を防止する。
【００１３】
また、コンデンシングユニット１を構成する凝縮器４のメンテナンス時には、凝縮器カバー９の上面部材９ａを取り外すことにより、フィンチューブ６の各フィン間や、凝縮器４のフィルタに詰まった埃等について、凝縮器４の上面側開口部から十分なエアーを吹きかけて除去作業を行うことが可能となる。すなわち、従来の構成では、凝縮器カバー９の上面部材９ａがファン側部材９ｂ等と一体に形成されていたため部材が大きなものとなり、狭い店舗内でのメンテナンス時には、凝縮器カバー９の取り外しを行うことが出来なかった。従って、ファン用の丸穴部９ｅにおけるファンモータの隙間から埃除去用のエアーを吹きかけることとなり、埃等の除去作業が不十分なものとなっていたが、上面部材９ａを独立に形成し、狭い店舗内でも容易に取り外し可能とすることにより、十分な除去作業を行うことが可能となる。
【００１４】
以上のように、本実施の形態に係るコンデンシングユニット１では、複数の圧縮機２，３に接続された複数の冷媒流路を有する一の凝縮器４を備えることとしたので、コンデンシングユニット１全体を小型化することが可能となる。従って、冷凍機内蔵型ショーケースにおいて、省スペースの下部架台内に収容することが可能となり、架台上部に設けられる陳列室のスペースを広く設定することが可能となる。
また、凝縮器４に複数のファン７を備え、各圧縮機２，３の運転状態に応じて、ファン７のＯＮ／ＯＦＦ制御を行うこととしたので、冷凍機の負荷等に応じた適切なファン制御を行うことができ、無駄な運転を防止することができる。従って、各圧縮機２，３の停止時に外気を吸込むことによる、余分なフィルタの目詰まり等を防止することができ、メンテナンス間隔を長くすることができる。
また、複数のファン７間に仕切板８を設けることとしたので、各ファン７を個別に運転させることができるとともに、複数のファン７から発生する渦の干渉を防止することができ、騒音を低減することが可能となる。
また、凝縮器カバー９の上面部材９ａを独立に形成することとしたので、フィンチューブ６のフィンや、凝縮器４のフィルタに詰まった埃等の必要十分な除去作業を簡易かつ適切に行うことができる。従って、スペースの狭い店舗内であっても、効率よくメンテナンス作業を行うことが可能となる。
【００１５】
なお、前記実施の形態では、冷凍機内蔵型ショーケースの下部架台内に収容されるコンデンシングユニットについて説明したが、これに限られるものでは無く、他の構成のショーケースについても本発明に係るコンデンシングユニットを用いることができる。
また、前記実施の形態では、コンデンシングユニットに大きさの異なる複数の圧縮機を備えた例を示したがこれに限られるものでは無く、大きさが同様の圧縮機を複数備えた場合であっても、本発明を適用することができる。
また、凝縮器におけるフィンチューブの長さ，配設位置，折り返し部の傾斜角等は、前記実施の形態で示したものに限られるものでは無く、圧縮機の大きさ等に応じて種々に設定することが可能となる。また、オイルクーラを有しない圧縮機を備える場合には、凝縮器においてオイルクーラ用の冷媒流路を構成するフィンチューブは省略することとなる。
また、ファンの大きさ，個数等も種々に設定することが可能となる。この場合、ファンの運転制御は、前記実施の形態に示したものに限られるものでは無く、圧縮機の運転状況に応じて種々に設定可能なものとする。
【００１６】
【発明の効果】
以上、説明したように、本発明のコンデンシングユニット及び冷凍機内蔵型ショーケースによれば、次のような効果を奏する。
（１）冷凍・冷蔵ショーケースのコンデンシングユニットとして、複数の圧縮機と、前記各圧縮機にぞれぞれ接続された複数の冷媒流路を有する一の凝縮器とを備えることとしたので、コンデンシングユニット全体を小型化することができる。特に、冷凍機内蔵型ショーケースの場合には、省スペースの下部架台内にコンデンシングユニットを収容可能とするため、商品陳列部のスペースを広く設定することができる。
（２）また、前記凝縮器に、前記各圧縮機の運転状況に応じて個別に運転制御を行う複数の空冷用のファンを備えるととともに、各ファン間を仕切る仕切板を設けることにより、冷凍機の負荷等に応じた適切なファン制御を行うことができるとともに、複数の空冷用のファンから発生する渦の干渉を防止することができ、騒音を低減させることができる。
（３）また、凝縮器カバーを構成する上面部材を独立に形成し、取り外し可能としたことにより、メンテナンス時におけるフィルタ及びフィンの清掃作業を容易かつ適切に行うことが可能となる。
【図面の簡単な説明】
【図１】本実施の形態に係るコンデンシングユニットの概略構成を示すブロック図である。
【図２】凝縮器の凝縮器カバーを示す斜視図である。
【図３】コンデンシングユニットを構成する凝縮器を示す左側面図である。
【図４】コンデンシングユニットを構成する凝縮器を示す右側面図である。
【符号の説明】
１    コンデンシングユニット
２    第一圧縮機
３    第二圧縮機
４    凝縮器
４Ａ  フィンチューブ配設部
４Ｂ  ファン配設部
４ａ  外気吸込口
５，５ａ〜５ｈ  配管
６，６Ａ〜６Ｃ  フィンチューブ
７    ファン
８    仕切板
９    凝縮器カバー
９ａ  上面部材
９ｂ  ファン側部材
９ｃ  左側板
９ｄ  右側板
【図１】
2004340431.tif 000003
【図２】
2004340431.tif 000004
【図３】
2004340431.tif 000005
【図４】
2004340431.tif 000006